(57)【要約】【課題】  室内機ユニットを大型化することなく、断熱構造を不要にし、且つ熱交換効率を低下させることのない換気機能を備えた空気調和機を提供する。【解決手段】  ベースパネル１００の熱交換器２を両端から支持する左右一対の熱交換器ホルダ３，３のいずれか一方の熱交換器ホルダ３に排気ユニット３１０と給気ユニット３３０とを一体的に組み込んだ換気ユニット３００を設けると共に、同換気ユニット３００内の換気用熱交換器３７０を給気ファン３８０の上流側に設けた。【選択図】  図５
2006266626.tif 000002
【特許請求の範囲】
【請求項１】
空気吸込口と空気吹出口とを有し、上記空気吸込口と上記空気吹出口とを結ぶ空気通路内に熱交換器と送風機とが設けられている室内機筐体を備え、上記室内機筐体には、少なくとも給気ファンおよび換気用熱交換器を有して室内の空気を入れ換える換気ユニットが設けられている空気調和機において、
上記換気用熱交換器が上記給気ファンの上流側に設けられてなることを特徴とする空気調和機。
【請求項２】
上記換気用熱交換器が上記換気ユニットの給気ポートおよび排気ポートの近傍に設けられてなることを特徴とする請求項１に記載の空気調和機。
【発明の詳細な説明】
【技術分野】
【０００１】
本発明は、空気調和機（室内機ユニット）に係わり、より詳細には、室内の空気と室外の空気を熱交換しながら換気する換気ユニットを備え、この換気ユニットの断熱構造を不要にすると共に、換気用熱交換器における熱交換効率が低下しないようにした空気調和機に関する。
【背景技術】
【０００２】
空気調和機（室内機ユニット）には、一般的に上部に設けられた空気吸込口から吸い込んだ空気を途中の熱交換器で所定の温度に熱交換し、クロスフローファンによって下部に設けられた空気吹出口から室内空間に向けて吹き出す構造になっている。
【０００３】
ところで、空気調和機の使用中は部屋を閉め切っている場合が多い。そのため、使用中に室内で喫煙したり料理をしたりすると臭いが部屋に籠もりやすく、使用者に不快感を与えやすい。したがって、使用者は時折窓を開けて換気するようにしているが、窓を開けると冷却（または暖房）した空気が外に逃げてしまうおそれがある。
【０００４】
そこで、例えば室内機ユニットの一部に換気ユニットを設けて窓を開けることなく換気ができるようにした空気調和機が提案されている。例えば特許文献１には、室内機ユニットの上部に給気通路と換気通路とを備えた換気ユニットを備えた空気調和機が示されている（例えば、特許文献１参照。）。
【０００５】
これによれば、空気調和機の運転中も室内の空気を換気できるため、常に室内には新鮮な空気が循環されるため、タバコを吸ったりや料理をしても極端な不快感を覚えにくい。また、使用者が窓開けなどの作業負担から解放される。
【０００６】
しかしながら、上記特許文献１に示された空気調和機には次のような問題がある。すなわち、この換気ユニットは空気調和機を駆動するための配管類（電力線やドレンホースなど）を室外に引き出すための引出孔と換気ユニット用の２箇所の換気孔をそれぞれ別に壁に開ける必要があり、設置工事が大変なばかりではなく、特に集合住宅などにおける居住者は使用しにくい。
【０００７】
そして、換気ユニットは空気調和機の上部に設置されているため、室内機ユニットそのものを専用設計する必要があり、その分コストが嵩むし、設置スペースも増える。さらに、換気ユニットのファンが室内機ユニットの前面側に向いて設置されているため、換気ファンの駆動中はファンの騒音が部屋に漏れやすい。
【０００８】
また換気ユニットにおいて、図６に示すように、給気ファンと排気ファンとの中間位置の空気流路に換気用熱交換器を備えているような場合、例えば冬季に低温の外気が取り入れられることによって、上記給気ファンと上記換気用熱交換器との間に結露が生じるため断熱構造にする必要が生じてしまったり、上記換気用熱交換器の手前（上流）で、低温の外気と排気される室内空気とが隔壁を介して熱交換されるため熱交換効率が低下してしまうおそれがあった。
【０００９】
この時の換気ユニットによる換気手順について、図７に基づいて以下に説明する。
空気調和機１の運転中または運転停止時にリモコンなどに設けられた換気ボタンを操作すると、図示しない制御手段は上記換気ユニット３００に駆動開始命令を出す。
【００１０】
排気ユニット３１０が駆動開始命令を受けると、排気ユニット３１０の排気ファン３６３が起動され、室内空気の一部が排気ユニット３１０の排気口から吸い込まれる。
【００１１】
排気口から取り入れられた空気は、排気ファン３６０の中心からラジアル方向に向かって吹き出され、そのまま排気通路３２３に導入される。このとき、排気通路３２３に設けられた換気用熱交換器３７０の排気側熱交換室３７１を通る際に熱交換される。
【００１２】
熱交換された空気は排気通路３２３を通って換気ユニット３００の下側まで流れ、背面側に設けられた排気ポート３２４から排気される。上記排気ポート３２４から出た空気は図示しない排気パイプを通って室外に放出される。
【００１３】
他方の給気ユニット３３０が駆動命令を受けると、給気ユニット３００の給気ファン３８０が起動され、図示しない給気パイプに接続された給気ポート３２６から室外の空気が吸い込まれる。
【００１４】
給気ポート３２６から給気ユニット３１０内に入った空気は、まず給気フィルタ３４７によって空気中に含まれるゴミが取り除かれ、吸気口３４５から給気ファン３８０に取り込まれる。
【００１５】
吸気口３４５に入った空気は、給気ファン３８０の中心からラジアル方向に向かって吹き出され、そのまま給気通路３４３に導かれる。このとき、給気通路３４３を通る空気は、途中に設けられた換気用熱交換器３７０の給気側熱交換室３７２を通ることで排気側空気と熱交換される。
【００１６】
その際、例えば冬季に低温の外気が上記給気通路３４３を流通することで、上記換気用熱交換器３７０の上流側となる吸気ケーシング３４０に結露が生じてしまうという問題点を有していた。
【００１７】
また、上記給気通路３４３を流通して換気用熱交換器３７０に向かう給気が、上記換気用熱交換器３７０を出て上記排気通路３２３を流通する排気と熱交換してしまうことで、上記換気用熱交換器３７０における熱交換効率が低下してしまうおそれがあった。
【００１８】
【特許文献１】特開昭６２−２６８９４３号公報
【発明の開示】
【発明が解決しようとする課題】
【００１９】
そこで、本発明は上述した課題を解決するためになされたものであって、その目的は室内機ユニットを大型化することなく、断熱構造を不要にし、且つ換気用熱交換器における熱交換効率を低下させることのない換気機能を備えた空気調和機を提供することにある。
【課題を解決するための手段】
【００２０】
上述した目的を達成するため、本発明は以下に示す特徴を備えている。
空気吸込口と空気吹出口とを有し、上記空気吸込口と上記空気吹出口とを結ぶ空気通路内に熱交換器と送風機とが配置されている室内機筐体を備え、上記室内機筐体には、少なくとも給気ファンおよび換気用熱交換器を有して室内の空気を入れ換える換気ユニットが設けられている空気調和機において、
上記換気用熱交換器が上記給気ファンの上流側に設けられていることを特徴としている。
【００２１】
また、上記換気用熱交換器が上記換気ユニットの給気ポートおよび排気ポートの近傍に設けられていることを特徴としている。
【発明の効果】
【００２２】
発明によれば、熱交換器の熱交換器ホルダの横にあるスペースに換気ユニットを組み込んだことにより、熱交換器を熱交換器ホルダで支持するタイプの空気調和機であれば、特に専用のケーシングを設計などすることなく換気ユニットを組み込むことができるようになって、室内機ユニットが大型化してしまうということがない。
【００２３】
また、冬季に低温の外気が取り入れられる場合であっても、上記給気ファンの上流側に上記換気用熱交換器が設けられているので、上記給気ファンと上記換気用熱交換器との間に結露が生じるということがなく、したがって該箇所を断熱構造にする必要がない。
そして、上記換気用熱交換器の上流側で、低温の外気と排気される室内空気とが隔壁を介して熱交換されるということがないので、上記換気用熱交換器における熱交換効率が低下してしまうということがない。
【発明を実施するための最良の形態】
【００２４】
以下、本発明の実施の形態を、添付図面に基づいた実施例として詳細に説明する。
図１は本発明の一実施形態に係る空気調和機（室内機ユニット）の分解斜視図であり、図２は室内機ユニットから換気ユニットを取り外した状態の分解斜視図であり、図３は換気ユニットの分解斜視図であり、図４は換気ユニットの分解斜視図であり、図５は室内機ユニットの要部斜視図である。
【００２５】
本発明による空気調和機（室内機ユニット）１は、図示しない取付金具を介して壁面に取り付けられるベースパネル１００と、ベースパネルの上面から前面にかけて覆うように上記ベースパネル１００に取り付けられる化粧パネル２００とを備えており、いずれも合成樹脂の成型品からなる構成になっている。
【００２６】
上記ベースパネル１００は全体が断面Ｌ字状に形成されており、送風機を構成するクロスフローファン（図示しない）や冷凍サイクルに含まれる熱交換器２、ドレンパン（図示しない）などが格納されている。
【００２７】
上記ベースパネル１００の両端には、上記熱交換器２を支持する熱交換器ホルダ３が左右一対に設けられており、この熱交換器ホルダ３同士の間に上記熱交換器２が掛け渡されている。
【００２８】
この例において、上記熱交換器２は３つの熱交換器ユニット２１〜２３をほぼラムダ（Λ）型に組み合わせて連結したものからなり、クロスフローファンを覆うように取り付けられている。
【００２９】
前面側熱交換器ユニット２１，２２と背面側熱交換器ユニット２３とは、その頂部が遮風板２４によって連結されている。遮風板２４は、吸い込まれる空気が上記熱交換器２をバイパスしないようにするために設けられており、併せて上記熱交換器２の上部に配置されるエアフィルタのフィルタガイドとしても機能している。
【００３０】
上記ベースパネル１００の一方の熱交換器ホルダ３（図１では右側）の隣には、上記室内機ユニット１を駆動するための各種電源装置や電子部品などが格納された電装品箱４が設けられている。上記ベースパネル１００の他方の熱交換器ホルダ３（図１では左側）の隣には、室内の空気を換気する換気ユニット３００が設けられている。
【００３１】
上記ベースパネル１００の下面側には、クロスフローファンの送風作用によって空気を室内に向けて送出するための空気吹出口１１０が形成されている。上記空気吹出口１１０には、空気の吹出方向を変えるための上下風向板および左右風向板のほかに、例えば急速暖房もしくは急速冷房運転時に床方向に向かって開くディフューザー（ともに図示しない）が設けられてよい。
【００３２】
上記ベースパネル１００には、上記熱交換器２を覆うように化粧パネル２００が取り付けられる。上記化粧パネル２００は、後端側に設けられた図示しない係止爪を介して上記ベースパネル１００の上端に固定され、上記室内機ユニット１の外観を構成している。
【００３３】
この例によると、上記化粧パネル２００にはほぼ全面にわたって空気吸込口２１０が設けられている。上記空気吸込口２１０はグリル桟状に形成されてよく、その開口面積は上記熱交換器２の上部投影面積よりも大きいことが好ましい。上記化粧パネル２００の空気吸込口２１０の内側には、空気中のゴミを捕捉するエアフィルタ（図示しない）が着脱可能に設けられている。
【００３４】
これによれば、上記熱交換器２を挟んで上記ベースパネル１００の両側に上記電装品箱４と上記換気ユニット３００とが相対的に配置されることにより、上記室内機ユニット１の中央に上記空気吹出口１１０が形成され、上記室内機ユニット１がシンメトリー構造となり、意匠的にも綺麗にまとめることができる。
【００３５】
本発明において、上記ベースパネル１００および上記化粧パネル２００の構成は上記熱交換器２を上記熱交換器ホルダ３で支持する構造であれば、その他の構成は任意であってよく、その具体的な構成についての説明は省略する。
【実施例１】
【００３６】
次に、実施例１として示す図２〜図５を参照して、上記換気ユニット３００について説明する。上記換気ユニット３００は、上記空気吸込口２１０から吸い込まれた空気の一部を室外に排気する排気ユニット３１０と、室外空気を上記室内機ユニット１を介して室内に供給する給気ユニット３３０とを備えている。上記換気ユニット３００は合成樹脂の成型品からなる。
【００３７】
図３および図４に示すように、この換気ユニット３００は排気ケーシング３２０、給気ケーシング３４０および蓋ケーシング３５０の３つのケーシング部材を備えている。上記排気ケーシング３２０および上記給気ケーシング３４０は断面コ字状（底板の両端縁から開放端に向かってほぼ垂直に延びる側壁を有する形状）に形成されており、上記排気ケーシング３２０の底部に上記給気ケーシング３４０の開放端を組み合わせることにより、内部に排気経路と給気経路とがそれぞれ独立して形成されるようになっている。
【００３８】
上記排気ケーシング３２０は、排気ファン３６０が収納されるファン収納部３２２と、上記排気ファン３６０によって吸い出された空気が通る排気通路３２３と、排気通路３２３を通ってきた空気を排出する排気ポート３２４とを備え、排気通路は仕切壁５０を挟んで一方の面に形成されている。
【００３９】
上記ファン収納部３２２は上記排気ファン３６０が収納可能な円筒状に形成されており、その中央には排気口３２５が設けられている。上記排気口３２５は上記排気ファン３６０の回転軸に対して同軸的に形成されており、上記排気ファン３６０を駆動することにより、上記空気吸込口２１０から吸い込まれた空気の一部が上記排気口３２５から吸い込まれる。
【００４０】
上記排気ファン３６０は、上記ファン収納部３２２の周縁に沿って嵌め合わせられるベース板３６１を有し、同ベース板３６１の中央に駆動モータ３６２が一体的に取り付けられている。上記駆動モータ３６２の回転軸にはラジアルファン３６３が一体的に取り付けられている。上記ファン収納部３２２はベース板３６１によって塞がれることで、密閉空間を形成している。
【００４１】
上記排気通路３２３は一端が上記ファン収納部３２２に向かってほぼ直角に開放され、他端が上記仕切壁５０に沿って下側に延びており、上記排気ポート３２４に接続されている。上記排気ポート３２４またはその近傍には、換気用熱交換器３７０が収納される開口部３２６が形成されており、ここに上記換気用熱交換器３７０の排気側熱交換室３７１が格納される。
【００４２】
上記排気ポート３２４は、上記換気ユニット３００の背面側（壁面側）に向けて形成されている。この排気ポート３２４には、図示しない排気パイプに連結される連結パイプ３２４ａがジョイント部材３２４ｂを介して接続される。
【００４３】
これらファン収納部３２２、排気通路３２３および排気ポート３２４は、上記仕切壁５０の周縁に沿って垂直に立設された側壁により囲まれた凹部であり、そこに蓋ケーシング３５０を被せることによって密閉空間が形成される。
【００４４】
上記蓋ケーシング３５０は、上記排気ケーシング３２０の一方の側面（図３では左側面）に沿って取り付けられる板状体からなる。上記蓋ケーシング３５０には上記排気ポート３２４と上記給気ポート３４６に合致するポートメンバー３５１，３５２が２箇所設けられており、この各ポートメンバー３５１，３５２が上記排気ポート３２４と上記給気ポート３４６とに合致することにより、円筒状に形成される。
【００４５】
次に、上記給気ケーシング３４０は、上記給気ファン３８０が収納されるファン収納部３４２と、同ファン収納部３４２から送り出された空気が流れる吸気通路３４３と、上記室内機ユニット１の内部に向けて空気を吹き出す吐出口３４４とが設けられている。給気通路は仕切壁５０を挟んで排気通路の他方の面に形成されている。
【００４６】
上記ファン収納部３４２は、上記給気ファン３８０が収納可能な円筒状に形成されており、その中央には吸気口３４５が設けられている。上記吸気口３４５は上記給気ファン３８０の回転軸に対して同軸的に形成されており、外気を取り込む上記給気ポート３４６に連通している。上記給気ファン３８０を駆動することにより、上記給気ポート３４６から吸い込まれて上記換気用熱交換器３７０の給気側熱交換室３７２を流通した空気が上記吸気口３４５に吸い込まれる。
【００４７】
上記吸気口３４５は、図２に示すように、Λ型熱交換器２の頂部（遮風板２４）を挟んで背面側熱交換器ユニット２３側に向けて開口されており、上記空気吸込口２１０を通って上記背面側熱交換器ユニット２３を通る前の空気を吸い込むようになっている。
【００４８】
上記給気ファン３８０は、上記ファン収納部３４２の周縁に沿って嵌め合わせられるベース板３８１を有し、同ベース板３８１の中央に駆動モータ３８２が一体的に取り付けられている。上記駆動モータ３８２の回転軸にはラジアルファン３８３が一体的に取り付けられている。上記ファン収納部３４２は、上記ベース板３８１によって塞がれることで密閉空間を形成している。この例において、上記給気ファン３８０と上記排気ファン３６０は同じ形状および構成からなる。
【００４９】
上記給気通路３４３は、一端が上記給気ファン３８０のファン収納室３４２に接続され、他端が仕切壁３４１に沿って上部に延び吐出口３４４に接続されている。この給気通路３４３の上流側となる上記給気ポート３４６またはその近傍には上記換気用熱交換器３７０の吸気側熱交換室３７２が格納される。
【００５０】
上記吐出口３４４は、図２に示すように、Λ型熱交換器２の頂部（遮風板２４）を挟んで前面側熱交換器ユニット２２側に向けて開口されている。これによれば、上記吸気口３４５と吐出口３４４は上記熱交換器２の頂部を挟んで前面側と背面側に分けて配置されていることにより、吐出された空気がそのまま上記吸気口３４５に吸い込まれることがない。
【００５１】
この吸気ケーシング３４０は上記排気ケーシング３２０の他方の面に一体的に取り付けられることにより、上記排気ケーシング３２０の他方の面を塞ぐ蓋として用いられる。このとき、上記排気ケーシング３２０と上記給気ケーシング３４０の給気ファン収納部３４２との間には給気フィルタ３４７が差し込まれるフィルタ室３４６が形成される。
【００５２】
上記フィルタ室３４６は、上記給気ファン収納部３４２の裏面（図３側）に設けられたスペーサ３４８が排気ケーシング３２０に当接することで所定の幅をもって形成され、そこに上記給気フィルタ３４７を差し込み可能な状態で取り付けられる。
【００５３】
上記換気用熱交換器３７０は、中央に配置された仕切板３７３を挟んで２つの熱交換室３７１，３７２が形成されており、一方の熱交換室３７１が排気側、他方の熱交換室３７２が給気側とされている。上記換気用熱交換器３７０はアルミなどの高熱伝導率を有する金属材料からなり、各熱交換室３７１，３７２には熱交換用のフィンが多数設けられている。
【００５４】
これによれば、上記排気側熱交換室３７１を流れる空気からフィンで熱を奪い、奪われた熱はフィンから上記仕切板３７３を介して他方の給気側熱交換室３７２に伝播され、同給気側熱交換室３７２側のフィンから給気通路３４３を流れる空気に対して熱交換される。
【００５５】
その際、上記換気用熱交換器３７０が上記給気ファン３８０の上流側に設けられたことにより、たとえば冬季に低温の外気が取り入れられる場合であっても、上記換気用熱交換器３７０と上記給気ファン３８０との間に結露が生じるということがなく、したがって該箇所を断熱構造にする必要がない。
【００５６】
このように結露を生じさせないようにするため、上記換気用熱交換器３７０の吸気側熱交換室３７２は、上記給気通路３４３のさらに上流側となる上記換気ユニット３００の給気ポート３４６の近傍に設けられている。
【００５７】
図２を参照して、上記換気ユニット３００の側面（給気ケーシング３４０側）には、同換気ユニット３００を上記熱交換器２の熱交換器ホルダ３に沿って取り付けるための３箇所のネジ止め部３０１，３０２，３０３が設けられている。
【００５８】
これに対して、上記熱交換器ホルダ３には各ネジ止め部３０１〜３０３に対応するネジ孔３１〜３３が３箇所設けられており、これらを互いに位置合わせした状態でネジ止めすることで、上記換気ユニット３００が熱交換器ホルダ３に対して取り付けられる。
【００５９】
上記換気ユニット３００には、上記熱交換器ホルダ３に取り付ける際の位置決め手段としてのガイドリブ３０４が設けられている。上記ガイドリブ３０４は断面Ｌ字状に形成されており、上記ベースパネル１００のパネル側板１２０の端部１２１に沿うように形成されている。
【００６０】
これによれば、上記換気ユニット３００のガイドリブ３０４を上記パネル側板１２０の端部１２１に沿って取り付けることで、上記換気ユニット３００の取付位置決めを簡単に行うことができる。
【００６１】
最後に、上記排気ポート３２４と上記給気ポート３２６とに排気パイプおよび給気パイプ（ともに図示しない）を接続することにより、１つの壁孔で全ての配管類を室外に引き出すことができる。
【００６２】
次に、図１〜図５に基づいて、また図７を参照しながら、この換気ユニット３００の換気手順について説明する。なお詳細に説明をするため、背景技術において図７に基づいて上記に説明した換気手順と重複する点があることを前もってことわっておく。
【００６３】
空気調和機１の運転中または運転停止時にリモコンなどに設けられた換気ボタンを操作すると、図示しない制御手段は上記換気ユニット３００に駆動開始命令を出し、同排気ユニット３１０が駆動開始命令を受けると、上記排気ユニット３１０の排気ファン３６３が起動される。上記排気ファン３６０の駆動により、上記空気吸込口１１０から吸い込まれた空気の一部が上記排気口３２５から吸い込まれる。
【００６４】
上記排気口３２５から取り入れられた空気は、上記排気ファン３６０の中心からラジアル方向に向かって吹き出され、そのまま上記排気通路３２３に導入される。このとき、同排気通路３２３に連通する上記排気ポート３２４の手前に設けられた換気用熱交換器３７０の排気側熱交換室３７１を通る際に熱交換される。
【００６５】
熱交換された空気は上記換気ユニット３００の下側まで流れ、背面側に設けられた上記排気ポート３２４から排気される。上記排気ポート３２４から出た空気は図示しない排気パイプを通って室外に放出される。
【００６６】
他方の上記給気ユニット３３０が駆動命令を受けると、上記給気ユニット３００の給気ファン３８０が起動され、図示しない給気パイプに接続された上記給気ポート３２６から室外の空気が吸い込まれる。
【００６７】
上記給気ポート３２６から上記給気ユニット３１０内に入った空気は、まず上記給気フィルタ３４７によって空気中に含まれるゴミが取り除かれると共に、上記給気ポート３２６の風下側直後に設けられた上記換気用熱交換器３７０の給気側熱交換室３７２を通ることで排気側空気と熱交換されたのち、上記吸気口３４５から上記給気ファン３８０に取り込まれる。
【００６８】
上記吸気口３４５に入った空気は、熱交換されたのち上記給気ファン３８０の中心からラジアル方向に向かって吹き出され、そのまま上記給気通路３４３を通って上部側まで持ち上げられた後、上記吐出口３４４から上記室内機ユニット１の前面側熱交換器３２の上面側に向けて排出される。排出された空気は、上記熱交換器２を通って熱交換された後、上記空気吹出口１１０から室内に向けて吹き出される。
【００６９】
これにより、例えば冬季に低温の外気が取り入れられる場合であっても、上記給気ファン３８０の上流側に上記換気用熱交換器３７０が設けられているので、上記給気ファン３８０と上記換気用熱交換器３７０との間において、上記給気ケーシング３４０に結露が生じるということがなくなる。
【００７０】
そして、上記換気用熱交換器３７０の上流側で、低温の外気と排気される室内空気とが隔壁を介して熱交換されるということがないので、上記換気用熱交換器３７０における熱交換効率が低下してしまうということがなくなる。
【００７１】
なお、この換気ユニット３００の換気手順は上記室内機ユニット１の駆動中に行われてもよいし、停止中に行われてもよい。また、上記換気ユニット３００のうち、一方の排気ユニット３１０のみを駆動させてもよいし、他方の給気ユニット３３０のみを駆動させてもよい。
【産業上の利用可能性】
【００７２】
以上、室外機と室内機とが分離されているスプリット型でシーリングウォール型の空気調和機の室内機ユニットを例にして本発明を説明したが、本発明はこれに限定されるものではない。本発明は、例えば床起き式空気調和機，一つの筐体内に室内機と室外機とを収納した一体型空気調和機，また、熱源で言えばガス燃焼式空気調和機，温水循環式空気調和機など、エアフィルタを有する空気調和機に広く利用することができる。
【図面の簡単な説明】
【００７３】
【図１】本発明の一実施形態に係る空気調和機（室内機ユニット）の分解斜視図である。
【図２】室内機ユニットから換気ユニットを取り外した状態の分解斜視図である。
【図３】換気ユニットの分解斜視図である。
【図４】換気ユニットの分解斜視図である。
【図５】室内機ユニットの要部斜視図である。
【図６】従来例による空気調和機（室内機ユニット）の要部斜視図である。
【図７】換気ユニットの換気経路を説明する動作説明図である。
【符号の説明】
【００７４】
１  空気調和機（室内機ユニット）
２  熱交換器
３，３  熱交換器ホルダ
１００  ベースパネル
１２０  パネル側板
２００  化粧パネル
２１０  空気吸込口
３００  換気ユニット
３１０  排気ユニット
３２０  排気ケーシング
３３０  給気ユニット
３４０  給気ケーシング
３５０  蓋ケーシング
３６０  排気ファン
３７０  換気用熱交換器
３８０  給気ファン
【図１】
2006266626.tif 000003
【図２】
2006266626.tif 000004
【図３】
2006266626.tif 000005
【図４】
2006266626.tif 000006
【図５】
2006266626.tif 000007
【図６】
2006266626.tif 000008
【図７】
2006266626.tif 000009